(57)【要約】サービス施設で顧客と係員が使用する汎用無線遠隔注文装置は、オーダを受け付け、このオーダとこのオーダに関するアクセス情報の状態を決定して、現金またはクレジット・カードを使用して顧客が支払いできるようにする。この注文装置（１２）は、キーボード（１６）、電池（１８）、メモリ（２０）、プロセッサ（２２）、送信機（２４）を有する。
2004511050.tif 000002
【特許請求の範囲】
【請求項１】
レストラン、自動車修理工場、小売店、食料雑貨店、空港、または他のサービス施設内で顧客または職員が使用し、注文を出し、注文の状態を決定し、情報にアクセスし、顧客が現金またはクレジットにより請求書に支払いする汎用遠隔注文装置であって、
ａ）　キーパッド、電池、第１のメモリ、第１のプロセッサ、送信機、バーコード・リーダを有する入力装置、および、
ｂ）　前記入力装置とは別々の注文ステーションであって、前記送信機から情報を受信する受信機と、前記受信機を通じて前記送信機から受信される情報をデコードしてデコード済み情報を生成する第２のプロセッサと、品目番号と価格を記憶する第２のメモリと、ポイント・オブ・セール・システムへの通信リンクとを有する前記注文ステーションを含む前記汎用遠隔注文装置。
【請求項２】
前記入力装置は、セルラ電話を含み、前記受信機は、電話応答装置を含む請求項１記載の装置。
【請求項３】
前記送信機および受信機は、赤外線スペクトルで動作する請求項１記載の装置。
【請求項４】
前記送信機および受信機は、無線スペクトルで動作する請求項１記載の装置。
【請求項５】
全地球測位方式トランシーバを更に含む請求項１記載の装置。
【請求項６】
前記入力装置の前記ユーザを識別する個人識別装置を更に含む請求項１記載の装置。
【請求項７】
前記個人識別装置は、物理的特性により直接に前記ユーザを識別する請求項６記載の装置。
【請求項８】
前記物理的特性は、生体電気的特性、生化学的特性、生体力学的特性からなるグループから選択される請求項７記載の装置。
【請求項９】
前記個人識別装置は、前記ユーザの親指の指紋を識別する請求項８記載の装置。
【請求項１０】
前記個人識別装置は、前記ユーザの網膜パターンを識別する請求項８記載の装置。
【請求項１１】
クレジット・カードの磁気ストライプを読み取るクレジット・カード・スロットを更に含む請求項１記載の装置。
【請求項１２】
レストラン、自動車修理工場、小売店、食料雑貨店、空港、または他のサービス施設内で顧客または職員が使用し、注文を出し、注文の状態を決定し、情報にアクセスし、顧客が現金またはクレジットにより請求書に支払いをする汎用遠隔注文装置であって、
ａ）　キーパッド、電池、第１のメモリ、第１のプロセッサ、送信機、バーコード・リーダを有する入力装置、
ｂ）　前記入力装置とは別々の注文ステーションであって、前記送信機から情報を受信する受信機と、前記受信機を通じて前記送信機から受信される情報をデコードしてデコード済み情報を生成する第２のプロセッサと、品目番号と価格を記憶する第２のメモリと、ポイント・オブ・セール・システムへの通信リンクとを有する前記注文ステーション、および、
ｃ）　全地球測位方式トランシーバを含む前記汎用遠隔注文装置。
【請求項１３】
前記入力装置は、セルラ電話を含み、前記受信機は、電話応答装置を含む請求項１２記載の装置。
【請求項１４】
前記送信機および受信機は、赤外線スペクトルで動作する請求項１２記載の装置。
【請求項１５】
前記送信機および受信機は、無線スペクトルで動作する請求項１２記載の装置。
【請求項１６】
前記入力装置の前記ユーザを識別する個人識別装置を更に含む請求項１２記載の装置。
【請求項１７】
前記個人識別装置は、物理的特性により直接に前記ユーザを識別する請求項１６記載の装置。
【請求項１８】
前記物理特性は、生体電気的特性、生化学的特性、生体力学的特性からなるグループから選択される請求項１７記載の装置。
【請求項１９】
前記個人識別装置は、前記ユーザの親指の指紋を識別する請求項１８記載の装置。
【請求項２０】
前記個人識別装置は、前記ユーザの網膜パターンを識別する請求項１８記載の装置。
【請求項２１】
クレジット・カードの磁気ストライプを読み取るクレジット・カード・スロットを更に含む請求項１２記載の装置。
【請求項２２】
レストラン、自動車修理工場、小売店、食料雑貨店、空港、または他のサービス施設内で顧客または職員が使用し、注文を出し、注文の状態を決定し、情報にアクセスし、顧客が現金またはクレジットにより請求書に支払いをする汎用遠隔注文装置であって、
ａ）　キーパッド、電池、第１のメモリ、第１のプロセッサ、送信機、バーコード・リーダを有する入力装置、
ｂ）　前記入力装置とは別々の注文ステーションであって、前記送信機から情報を受信する受信機と、前記受信機を通じて前記送信機から受信される情報をデコードしてデコード済み情報を生成する第２のプロセッサと、品目番号と価格を記憶する第２のメモリと、ポイント・オブ・セール・システムへの通信リンクとを有する前記注文ステーション、
ｃ）　クレジット・カードの磁気ストライプを読み取るクレジット・カード・スロット、
ｄ）　全地球測位方式トランシーバ、および、
ｅ）　前記入力装置の前記ユーザを識別する個人識別装置を含む前記汎用遠隔注文装置。
【発明の詳細な説明】
【０００１】
（発明の背景）
本願は、１９９９年８月２７日に出願された一部継続出願Ｎｏ．０９／３８４，９６１であり、この一部継続出願は、１９９８年４月１７日に出願され米国特許番号Ｎｏ．５，９６９，９６８として発行された一部継続出願Ｎｏ．０９／０６２，０９３である。
【０００２】
本発明は、レストランのドライブ・スルー通路のための遠隔注文システムに関する。
【０００３】
ドライブ・スルー通路は、多くのレストランにおいて、消費者とオーナ経営者の両方に非常に便利な機能を加えた。これらのドライブ・スルーは、オーナ経営者がより長くレストランを開店したままにして、翌日のためにレストランを清掃できるようにした。ドライブ・スルーは、またスタッフ経費の節減により顧客の一層効率的な処理を可能にした。
【０００４】
顧客は、サービスを受けている間、自分の乗物にとどまる便宜を得る。これは若い家族や、老齢者または虚弱者のような移動困難な人々にとって、特に重要である。
【０００５】
ドライブ・スルー通路は、かなり以前から存在している。しかしながら、典型的なドライブ・スルー通路において、顧客は、マイクロフォンから係員へ話しかけて注文を出す。これらのマイクロフォンは、一般に品質が悪く、伝達誤りや注文のエラーを生ずる。このエラーを顧客が発見するまでに、顧客は、既に数分間列を作って待ち、それから正しいオーダが書き込まれるまで更に数分間待たなければならない。これは、顧客の好意を失う結果になる。
【０００６】
マイクロフォンを使用しない先行のドライブ・スルー注文システムの問題点は、メニュのボタンを押したり画面に触れたりするためにユーザが乗物から身を乗り出す必要があることである。これは、非常に肥満した人々などには、不可能でないにしても、見苦しいものである。また、オーダを出す間、これは、顧客を雨、雪などにさらすことになる。一般に、注文された品目のタイプ、数量、合計金額について何のフィードバックもなく、間違って入力された項目を訂正するための支援の能力が何もない。
【０００７】
上記の問題に向けたドライブ・スルー通路の遠隔注文システムへの需要が存在する。その上、このシステムは、レストランから頻繁に注文する顧客たちに割り当てできる完全に搬送可能なハンド・ヘルド遠隔装置を提供すべきである。最適には、この装置は、各オーダと共に伝送される顧客識別を有し、これによりレストランが統計的分析を遂行できるようにする。
【０００８】
本出願は、また、レストラン内の給仕スタッフが遠隔注文装置を使用して、オーダを出し、オーダの状態を決定することに関し、また、顧客が現金またはクレジット・カードにより支払いできるようにすることに関する。
【０００９】
本出願は、また、レストラン、自動車修理工場、小売店、食料雑貨店、空港などの施設、または他のサービス施設の内部または外部で、顧客が使用する汎用遠隔注文装置に関する。この遠隔注文装置は、顧客が製品またはサービスを注文し情報にアクセスできるようにするハンド・ヘルド装置である。
【００１０】
レストラン内のサーバが各顧客の食物と飲み物のオーダを入力し、それからサーバが個人的にオーダを取る必要なしに、その情報を直接にキッチンに電子的に送るハンド・ヘルド遠隔装置への需要が存在する。各サーバは、追加のテーブルを一層能率的に処理して、収入を増加させ、レストランのスタッフの給与を節約できる。この装置には、また、クレジット・カード・リーダと顧客のための署名「ボックス」があり、キャッシュ・レジスタで並んで待ったり、クレジット伝票を持ってウェイトレスが戻るのを待ってサインしたりする必要なしに、取引を完了することができる。
【００１１】
また、レストラン、自動車修理工場、小売店、食料雑貨店、空港などの施設、または他のサービス施設の内部または外部で、顧客が使用する汎用遠隔注文装置への需要が存在する。この遠隔注文装置は、顧客が製品またはサービスを注文し支払って、情報にアクセスすることができるようにするハンドヘルド装置である。
【００１２】
（発明の要約）
本発明は、レストラン、自動車修理工場、小売店、食料雑貨店、空港、または他の施設内で顧客または職員が使用して、オーダを出し、オーダの状態を決定し、情報にアクセスし、現金またはクレジット・カードで顧客が請求書に支払うことができる汎用遠隔注文装置であって、
（ａ）　キーパッド、電池、第１のメモリ、第１のプロセッサおよび送信機を有する入力装置、および、
ｂ）　入力装置とは別々の注文ステーションであって、送信機に同調された受信機と、受信機を通じて送信機から受信される情報をデコードしてデコード済み情報を生成する第２のプロセッサと、デコード済み情報を表示するディスプレイと、品目番号と価格を記憶する第２のメモリと、ポイント・オブ・セール・システムへの通信リンクとを有する注文ステーションを含む汎用遠隔注文装置である。
【００１３】
本発明の主要な目的と長所は、係員に話す必要なしにサービス施設内のメニュから顧客が品目を注文できるようにすることである。これは、一層正確なオーダを生ずる。
【００１４】
本発明のもう１つの目的と長所は、オーダを個人的に配信する必要なしに、サーバがオーダをキッチンに直接に送信できることである。係員は、顧客にサービスするために一層生産的な時間を過ごし、一層多くのテーブルを処理でき、また労務費を節約できる。
【００１５】
本発明のもう１つの目的と長所は、オーダが一層早く受信されて、キッチンでオーダが準備されるとすぐに、完成されたオーダをサーバに通知できることである。食物は、冷めることはなく、サーバが食物を提供するのを待つ。
【００１６】
本発明のもう１つの目的と長所は、個別のオーダがレストランのコンピュータ・システムに自動的に入力されて、希望のままに在庫管理、内部統制、マーケティングに使用できることである。顧客が現金支払いを希望するか、またはクレジット・カードの使用を望まなければ、チェック・アウト・レジスタで、オーダが電子的に識別される。レストランが制御のために全ての顧客がチェック・アウト・レジスタに来ることを希望するとしても、クレジット・カード伝票と請求書を既に記入済みにして、レジスタでの時間を節約することができる。前払いしたテーブルは、チェック・アウト・レジスタで識別できる。
【００１７】
本発明のもう１つの目的と長所は、急ぎの顧客が食物を注文するときにクレジット・カード支払いを完了できて、サーバが請求書を出すのを待たなくてよいことである。食事が終わり次第、顧客は、立ち去ることができる。
【００１８】
本発明のもう１つの目的と長所は、手書きが全く含まれていないので、キッチン・スタッフは、常にオーダを読むことができることである。
【００１９】
本発明のもう１つの目的と長所は、たとえテーブルでチャージされても、サーバのオーダとチップは、常に自動的に記録できることである。
【００２０】
本発明のもう１つの目的と長所は、キッチンにおける識別を容易にするために、またはジャケット内の個人的メモのために、各サーバがその固有の注文装置を持てることである。
【００２１】
上記の目的と長所は、レストラン、自動車修理工場、小売店、食料雑貨店、空港などのサービス施設における顧客による使用のために同様に適用できる。
【００２２】
この汎用遠隔注文装置は、また、サービス施設により使用されて、顧客が所定のオーダを選択して、それを遠隔的に入力できるようにする。たとえば、サービス施設は、特定の所定オーダに関係するワールド・ワイド・ウェブのページ上にオーダ・コードを掲示できる。このウェブ・ページにアクセスした後で、顧客がオーダ・コードを入力装置に入力し、一方、サービス施設は、このオーダ・コードを注文ステーションに送信する。サービス施設は、また、オーダ・コードを提供するのに先立って、顧客にクレジット・カード番号を入力することを要請する。
【００２３】
（好ましい実施例の詳細な説明）
本発明のレストラン・ドライブ・スルー通路のための遠隔注文システムは、図面の中では全体的に参照数字１０で示されている。
【００２４】
遠隔注文システム１０は、入力装置１２およびドライブ・アップ注文ステーション１４を含む。入力装置１２は、ドライブ・アップ注文ステーション１４とは離れていて、入力装置は、乗物Ｖの中から使用される。好ましくは、入力装置１２は、ハンド・ヘルドであって、ドライブ・アップ注文ステーション１４から離れて持ち運びできる。多重装置１２が使用可能であり、各顧客に別々の装置が割り当てられる。入力装置１２は、好ましくはドライブ・アップ注文ステーション１４の直接な視線の中にある。つまり、たとえば電話ネットワーク上で、装置が大きく離れて動作することを意図していない。
【００２５】
好ましくは、入力装置１２は、キーパッド１６、電池１８、第１のメモリ２０、第１のプロセッサ２２、送信機２４を有する。第１のメモリ２０と第１のプロセッサ２２は、離散構成要素であってもよく、または両方とも図３に見えるような特定用途向けＩＣ（ＡＳＩＣ）であってもよい。顧客識別番号は、第１のメモリ２０に記憶されて、ドライブ・アップ注文ステーションにオーダを伝送する。
【００２６】
キーパッド１６は、更に好ましくは、図２に示すように、多くの数字キー１６ａ、１つの入力キー１６ｂ、除去キー１６ｃ、数量追加キー１６ｄ、数量差引キー１６ｅおよび開始／終了キー１６ｆを含む。
【００２７】
ドライブ・アップ注文ステーション１４は、種々の食物品目の説明と注文番号がある掲示ビジュアル・メニュを有する。受信機３２は、送信機２４に同調される。ステーション１４は、また、受信機３２を通じて送信機２４から受信される情報をデコードして、デコードされた情報を生成する第２のプロセッサ３４を有する。デコードされた情報、たとえば、品目の説明および価格は、ディスプレイ３６に表示される。第２のメモリ３８は、通信リンク４２を通じてポイント・オブ・セール・システムから受信される品目番号、説明、価格を記憶する。第２のメモリ３８および第２のプロセッサ３４は、離散構成要素であってもよく、または図４に見えるように両方とも特定用途向けＩＣ（ＡＳＩＣ）であってもよい。
【００２８】
送信機２４と受信機３２は、無線周波数（ＲＦ）伝送によっても赤外線（ＩＲ）伝送によっても動作する。
【００２９】
遠隔注文システム１０は、更に、第１のプロセッサ２２で実行して遠隔入力装置１２を管理するリモート・ソフトウェアと、注文ステーション１４を管理する第２のプロセッサ３４で実行する注文ステーション・ソフトウェアを含む。リモート・ソフトウェアと注文ステーション・ソフトウェアのフローチャートを図５が示す。
【００３０】
最初に、注文ステーション・ソフトウェア３６は、ディスプレイ３６上に「歓迎」画面を表示する。この歓迎画面は、リモート装置１２の開始キー１６ｆを押して取引を開始するように顧客を招待する。
【００３１】
それから顧客は、リモート装置１２の開始キー１６ｆを押して、送信機２４から受信機３２に信号を送る。この開始信号は、第２のプロセッサ３４で実行する注文ステーション・ソフトウェアによりデコードされる。
【００３２】
次のステップで、注文ソフトウェア・ステーションは、ディスプレイ３６に「品目番号を入力してください」の画面（図６Ａ）を表示する。顧客が利用可能な品目番号は、品目番号に関連する品目（ハンバーガ、チーズ・バーガなど）の説明とともに、掲示されるメニュー３０に示される。
【００３３】
「品目番号を入力してください」の画面に応答して、顧客は、１つまたはそれ以上の数字キー１６ａを押して、品目番号を入力する（図６Ｂ）。それから顧客は、たとえば「入力」キー１６ｂを押すことにより、注文ステーション１４に品目番号の伝送を開始する。
【００３４】
品目番号は、受信機３２により受信され、第２のプロセッサ３４で実行する注文ステーション・ソフトウェアによりデコードされる。注文ステーション・ソフトウェアは、第２のメモリ３８に保持されるテーブルを参照して、この品目番号を品目の説明と関連付ける。
【００３５】
次に、注文ステーション・ソフトウェアは「品目識別子と数量」の画面（図７）をディスプレイ３６に送る。このスクリーンは、希望する品目の数量を入力するように顧客に勧める。
【００３６】
顧客は、数字キー１６ａおよびオプションとして数量追加キー１６ｄおよび／または数量差引キー１６ｅを使用して、希望する品目の数量を入力する。顧客は、たとえば「入力」キー１６ｂを押すことにより、この品目の数量の伝送を開始する。
【００３７】
受信機は、第１の品目の品目数量を受信して、これをデコーディングのために第２のプロセッサ３４に渡す。第２のプロセッサは、第１の品目の数量を第２のメモリ３８に入力する。第２のプロセッサは、第２のメモリに維持されるテーブルからこの品目の価格を探索して、第１の品目の品目合計を計算する。注文ステーション・ソフトウェアは、第１の品目の品目合計画面（図８）をディスプレイ３６に伝送する。
【００３８】
再び顧客が「入力」キーを押すと、「入力」キーを押したことを信号する伝送は、注文ステーション１４に送られる。注文ステーション・ソフトウェアは、「入力／除去／完了」の画面（図９）をディスプレイ３６に送る。
【００３９】
「入力／除去／完了」画面に応答することにより、顧客は、３つの選択肢を有する。
【００４０】
「入力」キーが押されると、リモート装置１２は、注文ステーション１４に「品目番号を入力してください」の画面（図６Ａ）を送信して、もう１つの品目を注文するために上記の処理を開始する。
【００４１】
「除去」キー１６ｃが押されると、リモート装置１２は、注文ステーションに送信して、「除去品目」の画面（図１１Ａ）を提供する。この画面は、品目番号、説明、数量により注文される品目をリストし、注文の合計を表示する。オプションとして、オーダの小計も表示される（図１１Ｂ）。数字キー１６ａを使用することにより、顧客は、どの品目番号を除去するかを指示し、「入力」キーを押して、オーダから品目を除去することを注文ステーションに送信する。注文ステーション・ソフトウェアは、「入力／除去／完了」の画面を再び表示する。
【００４２】
「完了」キー１６ｆが押されると、リモート装置１２は、注文ステーションに送信し、注文されたすべての品目と数量についてオーダの合計を計算する。注文ステーション・ソフトウェアは、注文合計画面（図１０）をディスプレイ３６に表示する。
【００４３】
注文ステーション・ソフトウェアは、通信リンク４２を介してポイント・オブ・セール・システムにオーダ情報を送る。
【００４４】
ポイント・オブ・セール・システムは、通信リンク４２を通じて注文ステーションに品目番号、説明および価格をロードする。
【００４５】
汎用遠隔注文装置は、キーパッド１１６、電池１８、第１のメモリ２０、第１のプロセッサ２２、送信機２４を有する入力装置１１２を含む（図３および図１２Ａを参照）。第１のメモリ２０および第１のプロセッサ２２は、離散構成要素であってもよく、または両方とも図３に見えるように特定用途向けＩＣ（ＡＳＩＣ）にあってもよい。ユーザ／サーバ・インジケータは、注文ステーション１４０への伝送のために第１のメモリ２０に記憶され、ユーザ／サーバを識別する。
【００４６】
この遠隔注文装置は、更に、入力装置１１２とは別々の注文ステーション１４０を含み、注文ステーション１４０は、送信機２４に同調した受信機３２を有する。遠隔注文ステーション１４０は、また第２のプロセッサ３４を有し、第２のプロセッサ３４は、受信機３２を通じて送信機２４から受信するデコード情報に適合して、デコードされた情報を生成する。遠隔注文ステーション１４０は、またデコードされた情報を表示するのに適したディスプレイ３６を有する。第２のメモリ３８は、通信リンク４２を通じてポイント・オブ・セール・システム４０から受信される品目番号、説明および価格を記憶する。第２のメモリ３８と第２のプロセッサ３４は、離散構成要素であってもよく、また図４に見えるように、両方とも特定用途向けＩＣ（ＡＳＩＣ）であってもよい。
【００４７】
入力装置１１２は、情報を表示するディスプレイ・ウィンドウ１１４を有する。好ましくは、ディスプレイ・ウィンドウ１１４は、液晶ディスプレイである。
【００４８】
入力装置１１２は、オーダがピック・アップに準備されたときに注文ステーション１４０からの伝送により動作する注文準備完了インジケータ１１８を有する。この注文準備完了インジケータは、ＬＥＤなどの照明インジケータであるのが望ましいが、チャイムまたはバイブレータであってもよい。
【００４９】
キーパッド１１６は、メニュー項目および顧客データから選択入力するための複数の数字キーを有することが望ましい。図１２Ａに示すように、数字キー１１６Ａは、更に０から９までのラベルを有するのが最も望ましい。たとえば、標準的な電話機のキーパッドは、数字キー１１６Ａとして使用できる。
【００５０】
キーパッド１１６は、更に、注文ステーション１４０にオーダを伝送するために押されるオーダ送信ボタン１２０を有する。
【００５１】
キーパッド１１６は、更に、オーダ番号を入力し取消／変更ボタン１２２を押すことにより、以前に提出されたオーダを取消または変更するために使用できる取消／変更ボタン１２２を含む。
【００５２】
入力装置１１２は、クレジット・カードを読取り機に通してクレジット・カード上の磁気帯を読み取るクレジット・カード・スロット１２８を有することが望ましい。入力装置１１２は、また、クレジット・カード・ホルダの署名を電子的に記録するクレジット・カード署名ブロック１２６を有する。
【００５３】
送信機２４と受信機３２は、無線周波数（ＲＦ）伝送によっても、赤外線（ＩＲ）によっても動作できる。好ましくは、ＲＦ伝送が使用される。
【００５４】
この遠隔注文装置は、好ましくは複数の入力装置１１２を含み、複数の入力装置１１２は、各々、注文ステーション１４０から離れて別々に持ち運びできる。
【００５５】
汎用遠隔注文装置を使用する方法により、このサービス施設の顧客が注文を出したり、サービス施設から他の情報を得たりすることができる。
【００５６】
サービス施設は、注文コードを所定のオーダに相関させた後に、入力装置を使用する顧客に注文コードを供給する。たとえば、注文コード１は、ハンバーガ、フライ、コカコーラに相関される。それから入力装置のユーザは、キーパッド１１６により入力装置１１２にオーダ・コードを入力して、オーダ送信ボタン１２０を押すと、オーダ番号が注文ステーションに転送される。送信機２４の範囲により、サービス施設の内部または外部で、ユーザは、入力装置１１２を作動できる。
【００５７】
一般大衆にオーダ・コードを供給するために、サービス施設のオーナは、ワールド・ワイド・ウェブ上にオーダ・コードのメニュを掲示できる。たとえば、小売店が特売を行うならば、この店は、そのウェブ・サイトに売り出しの品目のオーダ・コードを掲示できる。店員は、これらのオーダ・コードのリストを印刷して、店を入力した後に、オーダ・コードを入力装置１１２に入力し、それらを注文ステーション１４０に送信する。
【００５８】
代りに、サービス施設が顧客用のカタログを供給してもよく、この場合、各顧客は、買い物のための入力装置が与えられ、カタログにはオーダ・コードが記載されている。入力装置１１２は、多数のオーダ・コードを受け付け、オーダ送信ボタンを１つ押すだけで、それらを逐次に注文ステーション１４０に送信するようにプログラムできる。オーダの準備が完了すると、オーダ準備完了インジケータが点灯して、顧客がオーダすることができる。
【００５９】
他の実施例において、サービス施設は、ウェブ・サイトなどで、要求者の本人確認をするだけで、またはオーダ・コードを受け取る以前にクレジット・カード番号により注文に対して支払いすることを要求者に付加的に要請するだけで、オーダ・コードを明らかにする。他の配置においては、要求者がクレジット・カードをクレジット・カード・スロット１２８に通した後に注文に対して支払い、クレジット・カード・スロット１２８が注文ステーション１４０を通じてクレジット・カード番号と期限をポイント・オブ・セール・システムに伝送する。
【００６０】
入力装置１１２は、セルラ電話に組み込まれてもよく、それにより、電話回線網上で注文がサービス施設に伝送される。
【００６１】
汎用遠隔注文装置のもう１つの実施例は、図１４から図１６に参照数字２１０で示されている。
【００６２】
汎用遠隔注文装置２１０は、入力装置２１２およびこの入力装置２１２とは別々の注文ステーション１４０を含む。
【００６３】
入力装置２１２は、更に、キーパッド２１６、電池（図示無し）、第１のメモリ２０、第１のプロセッサ２２、送信機２２４を含む。第１のメモリ２０および第１のプロセッサ２２は、離散構成要素であってもよく、または図３に見えるような特定用途向けＩＣ（ＡＳＩＣ）であってもよい。
【００６４】
入力装置２１２は、また、バー・コード・ラベルＬを読み取るバー・コード・リーダ２２６を含む。
【００６５】
注文ステーション２４０は、送信機２２４からの情報を受信する受信機３２を有する。注文ステーション２４０は、また、受信機３２を通じて送信機２２４から受信される情報をデコードしてデコード済み情報を生成する第２のプロセッサ３４を有する。第２のメモリ３８は、通信リンク４２を介してポイント・オブ・セール・システム４０から受信される品目番号、説明、価格を記憶する。第２のメモリ３８と第２のプロセッサ３４は、離散構成要素であってもよく、または両方とも４図に見えるような特定用途向けＩＣ（ＡＳＩＣ）であってもよい。
【００６６】
１つの好ましい実施例において、入力装置２１２は、セルラ電話機２５０を含み、受信機３２は、電話応答装置２４２を含む。
【００６７】
このセルラ電話機がアナログであれば、送信機２２４は、モデムを含む。
【００６８】
他の実施例において、送信機２２４および受信機３２は、赤外線スペクトルまたは無線スペクトルにおいて動作する。
【００６９】
装置２１０は、また、１つまたはそれ以上のＧＰＳ衛星Ｓと通信する全地球測位システム（ＧＰＳ）トランシーバ２６０を有する。
【００７０】
装置２１０は、また、入力装置２１２のユーザを識別する個人識別装置２７０を有する。ユーザは、個人識別番号（ＰＩＮ）を入力することを必要とせずに、この個人識別装置は、物理的特性によりユーザを識別できるのが望ましい。ＰＩＮは、盗まれることがあるが、ユーザの物理的特性は、コピーできないので、これは、追加的なセキュリティを提供する。
【００７１】
個人識別装置２７０により使用される物理的特性は、ユーザのいずれかの物理的特性でよいが、生体電気的特性、生化学的特性、生体力学的特性からなるグループから選択されることが望ましい。
【００７２】
たとえば、個人識別装置２７０は、ユーザの親指の指紋またはユーザの網膜パターンを識別する。
【００７３】
装置２１０のアプリケーションが例示される。
【００７４】
入力装置２１２がバー・コード・リーダ２２６を備えたセルラ電話機２５０であれば、ユーザは、その家または車から注文したのちに店かレストランで受け取ることができる。店またはレストランは、印刷またはワールド・ワイド・ウェブにより、対応するバー・コード付きの品目のメニューを公表できる。品目を注文するには、注文ステーションが所在する中心地の番号をユーザがダイアルすれば、電話応答装置２４２により呼が応答される。一連の音声指示は、バー・コード・リーダ２２６を使用してバー・コードを読むようにユーザに指示する。注文ステーション１４０は、ポイント・オブ・セール・システムと連絡して、売り上げを記録する。更に、顧客は、自宅または店でクレジット・カードをクレジット・カード・スロット１２８に通すことが要求される。
【００７５】
もう１つのアプリケーションにおいて、ＧＰＳトランシーバは、９ｍ（１０フィート）以内で正確にユーザの位置を指示して、入力装置２１２は、この位置を注文処理中に注文ステーション１４０に伝送する。もう１つのＧＰＳトランシーバを装備した配達員は、そのトランシーバにＧＰＳ座標を入力して、注文したユーザが所在する位置に直接に行くことができる。これは、スタジアムのような環境において大きな価値がある。
【００７６】
もう１つのアプリケーションにおいて、店またはレストランのワールド・ワイド・ウェブ・サイトを通じて標準的な注文処理を使用して、ユーザは、注文を出すことができる。ユーザが店またはレストランに到着すると、ユーザは、そこで品目を受け取る用意があることを注文ステーションに示すために、入力装置２１２を動作させる。
【００７７】
本発明の精神とその本質的な属性から離れずに他の特定の形式により本発明を実施できるので、本実施例は、全ての面において例示的であって制限的でないと考えられるのが望ましく、本発明の範囲を示すために上記の説明よりも、むしろ特許請求の範囲を参照することが望ましい。
【図面の簡単な説明】
【図１】
レストランのドライブ・スルー通路の関係を示す本発明の略図である。
【図２】
本発明のリモート・ハンド・ヘルド装置の略図である。
【図３】
リモート・ハンド・ヘルド装置の構成要素の電気的ブロック図である。
【図４】
ドライブ・スルー・ステーションの構成要素の電気的ブロック図である。
【図５】
本発明のデータ処理方法のフローチャートである。
【図６Ａ】
「品目番号を入力してください」を表示する略図である。
【図６Ｂ】
品目番号を入力した後の「品目番号を入力してください」を表示する。
【図７】
顧客により記入された品目数量を有する「品目識別子および数量」画面の略図である。
【図８】
「品目合計」画面の略図である。
【図９】
「入力／除去／完了」画面の略図である。
【図１０】
「オーダ合計」画面の略図である。
【図１１Ａ】
「項目除去」画面の一例の略図である。
【図１１Ｂ】
「項目除去」画面のもう１つの例の略図である。
【図１２Ａ】
汎用遠隔注文装置の入力装置のブロック図である。
【図１２Ｂ】
図１２Ａの線１２Ｂに沿った断面図である。
【図１３】
汎用遠隔注文装置の注文ステーションの略図である。
【図１４】
汎用遠隔注文装置の入力装置のもう１つの実施例の略図である。
【図１５】
図１４の入力装置により使用する注文ステーションの略図である。
【図１６】
端部立面の略図である。
【図１】
2004511050.tif 000003
【図１ａ】
2004511050.tif 000004
【図２】
2004511050.tif 000005
【図３】
2004511050.tif 000006
【図４】
2004511050.tif 000007
【図５】
2004511050.tif 000008
【図５ａ】
2004511050.tif 000009
【図５ｂ】
2004511050.tif 000010
【図６ａ】
2004511050.tif 000011
【図６ｂ】
2004511050.tif 000012
【図７】
2004511050.tif 000013
【図８】
2004511050.tif 000014
【図９】
2004511050.tif 000015
【図１０】
2004511050.tif 000016
【図１１ａ】
2004511050.tif 000017
【図１１ｂ】
2004511050.tif 000018
【図１２Ａ】
2004511050.tif 000019
【国際公開パンフレット】
2004511050.tif 000020
2004511050.tif 000021
2004511050.tif 000022
2004511050.tif 000023
2004511050.tif 000024
2004511050.tif 000025
2004511050.tif 000026
2004511050.tif 000027
2004511050.tif 000028
2004511050.tif 000029
2004511050.tif 000030
2004511050.tif 000031
2004511050.tif 000032
2004511050.tif 000033
2004511050.tif 000034
2004511050.tif 000035
2004511050.tif 000036
2004511050.tif 000037
2004511050.tif 000038
2004511050.tif 000039
2004511050.tif 000040
2004511050.tif 000041
2004511050.tif 000042
2004511050.tif 000043
2004511050.tif 000044
2004511050.tif 000045
2004511050.tif 000046
2004511050.tif 000047
2004511050.tif 000048
2004511050.tif 000049
【手続補正書】
【提出日】平成14年3月21日(2002.3.21)
【手続補正１】
【補正対象書類名】明細書
【補正対象項目名】特許請求の範囲
【補正方法】変更
【補正の内容】
【特許請求の範囲】
【請求項１】
顧客が使用して、注文を出し、注文の状態を決定し、情報にアクセスし、顧客が請求書に支払いをする汎用遠隔注文装置であって、
ａ）　データ入力部、電力源、第１のメモリ、第１のプロセッサ、送信機を有する無線通信装置、および、
ｂ）　前記無線通信受信機から電話線を通じて情報を受信する注文ステーションと、前記無線通信装置から受信される情報をデコードしてデコード済み情報を生成する第２のプロセッサと、品目番号と価格を記憶する第２のメモリと、ポイント・オブ・セール・システムへの通信リンクとを含む前記汎用遠隔注文装置。
【請求項２】
前記無線通信装置は、セルラ電話を含む請求項１記載の装置。
【請求項３】
前記無線通信装置は、セルラ電話ネットワークを使用し、前記注文ステーションと通信リンクを設立する請求項１記載の装置。
【請求項４】
前記無線通信装置の前記位置を決定して前記注文ステーションに伝送するために、全地球測位方式トランシーバを更に含む請求項１記載の装置。
【請求項５】
前記無線通信装置の前記ユーザを識別する個人識別装置を更に含む請求項１記載の装置。
【請求項６】
前記個人識別装置は、物理的特性により直接に前記ユーザを識別する請求項５記載の装置。
【請求項７】
前記物理的特性は、生体電気的特性、生化学的特性、生体力学的特性からなるグループから選択される請求項６記載の装置。
【請求項８】
前記個人識別装置は、前記ユーザの親指の指紋を識別する請求項７記載の装置。
【請求項９】
前記個人識別装置は、前記ユーザの網膜パターンを識別する請求項７記載の装置。
【請求項１０】
クレジット・カードの磁気ストライプを読み取るクレジット・カード・スロットを更に含む請求項１記載の装置。
【請求項１１】
（ａ）　無線通信装置と注文ステーションの間に無線通信を設立する段階と、
（ｂ）　注文コードを参照する段階と、
（ｃ）　希望する購入のために注文コードを入力する段階と、
（ｄ）　前記無線通信リンクを通じて前記注文ステーションに前記注文コード・データを伝送する段階と、
（ｅ）　前記注文ステーションにより前記注文コードをデコードする段階と、
（ｆ）　前記注文ステーションからポイント・オブ・セール・システムにデコードされたオーダを伝送する段階と、
（ｇ）　全ての購入が完了するまで段階（ｂ）から段階（ｆ）までをオプションとして反復する段階と、
（ｈ）　前記ポイント・オブ・セル・システムにおいて前記購入を勘定する段階とを含む品目を遠隔的に注文する方法。
【請求項１２】
前記無線通信装置から前記注文ステーションにクレジット・カード情報を伝送する段階を更に含む請求項１２記載の方法。
【請求項１３】
通信リンク上で前記注文ステーションから受信された前記クレジット・カード情報を承認のためにクレジット・カード認証センタに伝送する段階を更に含む請求項１３記載の方法。
【請求項１４】
前記無線通信装置から顧客識別情報データを受信する段階を更に含む請求項１２記載の方法。
【請求項１５】
前記無線通信装置に接続された全地球測位装置により前記無線通信装置から顧客位置情報を受信する段階を更に含む請求項１２記載の方法。
【請求項１６】
バーコードを読み取ってデータを前記無線通信装置に入力する段階を更に含む請求項１２記載の方法。
【国際調査報告】
2004511050.tif 000050